(57)【要約】【課題】装置本体の外装から接続部が露出する位置に設けられるコネクタを簡単に使い回すことができる画像形成装置を提供する。【解決手段】画像形成装置において、ＵＳＢメモリ５８が接続可能なＵＳＢポート３９ａを有するコネクタ３９と、コネクタ３９を支持する支持部材３７であって、ビス穴を有する支持部材３７と、コネクタ３９のＵＳＢポート３９ａが画像形成装置Ａの装置本体３の外装カバー４０ｃから露出する外側位置でコネクタ３９を固定するために、支持部材３７のビス穴３７ａ１に対応して装置本体３に設けられたビス穴４５と、コネクタ３９のＵＳＢポート３９ａが外装カバー４０ｃの内側に位置する内側位置でコネクタ３９を固定するために、支持部材３７のビス穴３７ａ２に対応して装置本体３に設けられたビス穴４６と、を備える。【選択図】図８
2020175532.tif 000002
【特許請求の範囲】
【請求項１】
ＵＳＢメモリが接続可能な接続部を有するコネクタと、
前記コネクタを支持する支持部材であって、ビス穴を有する支持部材と、
前記コネクタの前記接続部が画像形成装置の装置本体の外装から露出する第１位置で前記コネクタを固定するために、前記支持部材のビス穴に対応して前記装置本体に設けられた第１のビス穴と、
前記コネクタの前記接続部が前記外装の内側に位置する第２位置で前記コネクタを固定するために、前記支持部材のビス穴に対応して前記装置本体に設けられた第２のビス穴と、
を備えることを特徴とする画像形成装置。
【請求項２】
前記外装には、前記第１位置に位置する前記コネクタの前記接続部に対応する位置に開口部が形成されており、
前記コネクタが前記第２位置で固定されている時、前記外装の前記開口部は、閉塞部材によって閉塞されていることを特徴とする請求項１に記載の画像形成装置。
【請求項３】
ＵＳＢプラグを有するＩＣカードリーダを備え、
前記コネクタが前記第２位置で固定されている時、前記コネクタの前記接続部には、前記ＩＣカードリーダのＵＳＢプラグが接続されることを特徴とする請求項１又は２に記載の画像形成装置。
【請求項４】
ＵＳＢプラグを有するテンキーを備え、
前記コネクタが前記第２位置で固定されている時、前記コネクタの前記接続部には、前記テンキーのＵＳＢプラグが接続されることを特徴とする請求項１又は２に記載の画像形成装置。
【発明の詳細な説明】
【技術分野】
【０００１】
本発明は、電子写真複写機、電子写真プリンタ（例えばレーザビームプリンタ、ＬＥＤプリンタ等）などの画像形成装置に関する。
【背景技術】
【０００２】
画像形成装置においては、ＵＳＢメモリを接続可能な接続部を有するコネクタを備える構成が知られている。特許文献１の構成のように、画像形成装置の装置本体の外装から接続部が露出するようにコネクタを設けることで、ユーザがＵＳＢメモリを着脱しやすくなる。ユーザは、コネクタの接続部にＵＳＢメモリを接続することで、ＵＳＢメモリ内に保存された画像データを装置本体に取り込むことができる。
【先行技術文献】
【特許文献】
【０００３】
【特許文献１】特開２０１７−２０５８７５号公報
【発明の概要】
【発明が解決しようとする課題】
【０００４】
画像形成装置においては、ユーザのＩＣカード情報を読み取り、個人を認証するためのＩＣカードリーダや、数字情報を入力するためのテンキーを、ユーザの要望に応じてオプションで増設することがある。ＩＣカードリーダ及びテンキーと装置本体との電気的な接続は、例えばＩＣカードリーダ及びテンキーが備えるＵＳＢプラグを装置本体のコネクタに接続することで行われる。
【０００５】
ここでＩＣカードリーダやテンキーは、ＵＳＢメモリのように頻繁に取り外されるものではない。従って、これらのＵＳＢプラグが接続されるコネクタの接続部を、装置本体の外装から露出させる必要はなく、むしろ外観上の観点やケーブル処理の観点から、装置本体の外装の内側に配置するのが望ましい。
【０００６】
しかしながら、装置本体の外装から接続部が露出する位置に設けられたコネクタとは別に、ＩＣカードリーダやテンキーを接続するためのコネクタを外装の内側に設ける場合、複数のコネクタを使用することになり、画像形成装置の製造コストアップに繋がる。
【０００７】
そこで本発明はこのような現状に鑑み、装置本体の外装から接続部が露出する位置に設けられるコネクタを簡単に使い回すことができる画像形成装置を提供することを目的とする。
【課題を解決するための手段】
【０００８】
上記目的を達成するための本発明に係る画像形成装置の代表的な構成は、ＵＳＢメモリが接続可能な接続部を有するコネクタと、前記コネクタを支持する支持部材であって、ビス穴を有する支持部材と、前記コネクタの前記接続部が画像形成装置の装置本体の外装から露出する第１位置で前記コネクタを固定するために、前記支持部材のビス穴に対応して前記装置本体に設けられた第１のビス穴と、前記コネクタの前記接続部が前記外装の内側に位置する第２位置で前記コネクタを固定するために、前記支持部材のビス穴に対応して前記装置本体に設けられた第２のビス穴と、を備えることを特徴とする。
【発明の効果】
【０００９】
本発明によれば、画像形成装置において、装置本体の外装から接続部が露出する位置に設けられるコネクタを簡単に使い回すことができる。
【図面の簡単な説明】
【００１０】
【図１】画像形成装置の斜視概略図である。
【図２】画像形成装置の断面概略図である。
【図３】画像形成装置のシステム構成の一部を示すブロック図である。
【図４】コネクタを外側位置で固定した時のコネクタの周囲の平面図である。
【図５】コネクタを外側位置で固定した時のコネクタの周囲の斜視図である。
【図６】支持部材の斜視図である。
【図７】コネクタを内側位置で固定した時のコネクタの周囲の斜視図である。
【図８】コネクタを内側位置で固定した時のコネクタの周囲の斜視図である。
【図９】ＩＣカードリーダを取り付けた時のコネクタの周囲の斜視図である。
【図１０】ＩＣカードリーダの取り付け部分の分解斜視図である。
【図１１】テンキーの取り付け部分の分解斜視図である。
【図１２】カバー部材とテンキー下カバーの分解斜視図である。
【図１３】テンキーと固定部材の分解斜視図である。
【図１４】コネクタを内側位置で固定した時のコネクタの周囲の斜視図である。
【図１５】コネクタを外側位置で固定した時のコネクタの周囲の斜視図である。
【図１６】画像形成装置の操作部の周囲の斜視図である。
【発明を実施するための形態】
【００１１】
（第１実施形態）
＜画像形成装置＞
以下、まず本発明の第１実施形態に係る画像形成装置の全体構成を画像形成時の動作とともに図面を参照しながら説明する。なお、以下に記載されている構成部品の寸法、材質、形状、その相対配置などは、特に特定的な記載がない限りは、この発明の範囲をそれらのみに限定する趣旨のものではない。
【００１２】
本実施形態に係る画像形成装置Ａは、イエローＹ、マゼンダＭ、シアンＣ、ブラックＫの４色のトナーを中間転写ベルトに転写した後、シートに画像を転写して画像を形成する中間タンデム方式の画像形成装置である。なお、以下の説明において、上記各色のトナーを使用する部材には添え字としてＹ、Ｍ、Ｃ、Ｋを付するものの、各部材の構成や動作は使用するトナーの色が異なることを除いて実質的に同じであるため、区別を要する場合以外は添え字を適宜省略する。
【００１３】
図１は、画像形成装置Ａの斜視概略図である。図２は、画像形成装置Ａの断面概略図である。図１、図２に示す様に、画像形成装置Ａは、シートにトナー像を転写して画像を形成する画像形成部９６と、画像形成部に向けてシートを供給するシート給送部９５と、シートにトナー像を定着させる定着部としての定着装置１４を備える。
【００１４】
画像形成部９６は、感光ドラム８１（８１Ｙ、８１Ｍ、８１Ｃ、８１Ｋ）、帯電ローラ８２（８２Ｙ、８２Ｍ、８２Ｃ、８２Ｋ）、現像装置８３（８３Ｙ、８３Ｍ、８３Ｃ、８３Ｋ）を備える。また一次転写ローラ８５（８５Ｙ、８５Ｍ、８５Ｃ、８５Ｋ）、レーザスキャナユニット１３、中間転写ベルト１２、二次転写ローラ１６、二次転写対向ローラ１７、駆動ローラ１８などを備える。
【００１５】
また画像形成装置Ａの上部には、原稿の画像を読み取るフラットベッドスキャナである画像読取装置６が設けられている。画像読取装置６は、回動自在に支持されており、ユーザは画像読取装置６を上方に回動させることで、原稿を載置して読み取るための不図示の読取面にアクセスする。画像読取装置６は、読取面に載置された原稿の画像を光学的に読み取って画像データに変換する。
【００１６】
また画像形成装置Ａの装置本体３の上部には、タッチパネル方式の操作部１１が回動可能に支持されている。操作部１１には、数字を入力するためのキーが内の所定エリアに表示可能になっており、ユーザが表示されたキーを押すことで数字情報が入力される。このようにユーザが操作部１１を操作して数字の入力などを行うことで、シートＳの種類、画像の出力サイズ、画像形成枚数の設定等、画像形成に関する設定を行うことができる。
【００１７】
次に、画像形成装置Ａによる画像形成動作について説明する。まず図３に示す制御部７０に画像形成ジョブ信号が入力されると、給送ローラ８８によってシートカセット２に積載収納されたシートＳがレジストローラ８９に送り出される。次にシートＳは、レジストローラ８９によって所定のタイミングで二次転写ローラ１６と二次転写対向ローラ１７から形成される二次転写部に送り込まれる。
【００１８】
一方、画像形成部においては、まず帯電ローラ８２Ｙにより感光ドラム８１Ｙ表面が帯電させられる。その後、不図示の外部機器等から送信された画像信号に応じてレーザスキャナユニット１３が感光ドラム８１Ｙ表面にレーザ光を照射し、感光ドラム８１Ｙ表面に静電潜像を形成する。
【００１９】
その後、現像装置８３Ｙにより感光ドラム８１Ｙの表面に形成された静電潜像にイエローのトナーを付着させ、感光ドラム８１Ｙ表面にイエローのトナー像を形成する。感光ドラム８１Ｙ表面に形成されたトナー像は、一次転写ローラ８５Ｙに一次転写バイアスが印加されることで、中間転写ベルト１２に一次転写される。
【００２０】
同様のプロセスにより、感光ドラム８１Ｍ、８１Ｃ、８１Ｋにも、マゼンダ、シアン、ブラックのトナー像が形成される。そして一次転写ローラ８５Ｍ、８５Ｃ、８５Ｋに一次転写バイアスが印加されることで、これらのトナー像が中間転写ベルト１２上のイエローのトナー像に対して重畳的に転写される。これにより中間転写ベルト１２表面にフルカラーのトナー像が形成される。
【００２１】
その後、中間転写ベルト１２が駆動ローラ１８から駆動力を伝達されて周回移動することで、フルカラーのトナー像が二次転写部に送られる。そして二次転写部において二次転写ローラ１６に二次転写バイアスが印加されることで、中間転写ベルト１２上のフルカラーのトナー像がシートＳに転写される。
【００２２】
次に、トナー像が転写されたシートＳは、定着装置１４において加熱、加圧処理が施され、これによりシートＳ上のトナー像がシートＳに定着される。その後、トナー像が定着されたシートＳは、縦パス部４を通って排出ローラ１５に搬送され、排出ローラ１５によって排出部５に排出される。なお、縦パス部４は、外装カバー４０ａにより覆われている。
【００２３】
＜制御部＞
次に、画像形成装置Ａのシステム構成の概要について説明する。
【００２４】
図３は、画像形成装置Ａのシステム構成の一部を示すブロック図である。図３に示す様に、画像形成装置Ａは、ＣＰＵ７１、ＲＯＭ７２、ＲＡＭ７３、ＨＤＤ７４を有する制御部７０を備える。これらの部材は、いずれもシステムバス７７に接続されている。
【００２５】
ＲＯＭ７２、ＨＤＤ７４は、制御プログラムやテーブル等の各種データを記憶する。ＣＰＵ７１は、ＲＯＭ７２、ＨＤＤ７４に格納された制御プログラムや情報に基づいて各種の演算処理を行う。ＲＡＭ７３は、データを一時的に記憶する。
【００２６】
つまり制御部７０は、ＣＰＵ７１が、ＲＯＭ７２、ＨＤＤ７４に格納された制御プログラムに基づいてＲＡＭ７３を作業領域に用いながら、デバイス出入力回路（Ｉ／Ｆ）７８を介して接続された各デバイスを制御する。そして各デバイスの制御を通じて上述した画像形成動作を実行する。
【００２７】
また制御部７０には、操作部入出力回路（Ｉ／Ｆ）７５を介して、操作部１１が接続されている。制御部７０は、操作部１１から信号を受けて、画像形成装置Ａの各種デバイスを動作させる。また制御部７０は、各種の情報を操作部１１に表示させる。
【００２８】
また制御部７０は、外部入出力回路（Ｉ／Ｆ）７６を有する。外部入出力回路（Ｉ／Ｆ）７６には、後述するように、装置本体３のコネクタ３９を介して、ＵＳＢメモリ５８、テンキー１０１、ＩＣカードリーダ６１などが接続される。なお、制御部７０は、テンキー１０１の入力情報を操作部１１に表示させることができる。
【００２９】
＜コネクタ＞
画像形成装置Ａは、ＵＳＢメモリ５８などが接続可能なＵＳＢポート３９ａ（接続部）を有するコネクタ３９を備える。次に、コネクタ３９の構成について説明する。
【００３０】
図４、図５は、コネクタ３９のＵＳＢポート３９ａが装置本体３の外装カバー４０ｃから露出した位置である外側位置（第１位置）にコネクタ３９を固定した時のコネクタ３９の周囲の平面図と斜視図である。図６は、コネクタ３９を支持する支持部材３７の斜視図である。なお、図５は、コネクタ３９を外側位置に固定した状態で外装カバー４０ａ、４０ｂ、４０ｃを取り付けた時の図である。
【００３１】
図４に示す様に、コネクタ３９は、外側位置に固定される際、支持部材３７を介して、画像読取装置６の前面側の枠体６ｂに取り付けられる。なお、本実施形態では、コネクタ３９を画像読取装置６の枠体６ｂに固定したものの、装置本体３の枠体や、装置本体３の枠体に固定された部材にコネクタ３９を固定してもよい。
【００３２】
図６に示す様に、支持部材３７は、角度の異なる複数の面が連結されて形成された台座部３７ａと、コの字状のコの字部３７ｂから構成される。コネクタ３９は、支持部材３７の台座部３７ａとコの字部３７ｂから形成される矩形穴３７ｃに嵌合する。コネクタ３９が矩形穴３７ｃに嵌合した状態で、コの字部３７ｂのビス穴３７ｂ１と台座部３７ａのビス穴３７ａ３にビス５９ａが挿入、締結される。これによりコネクタ３９が支持部材３７に対して支持、固定される。
【００３３】
枠体６ｂには、支持部材３７のビス穴３７ａ１と対応する位置にビス穴４５（図７も参照）が形成されている。支持部材３７によってコネクタ３９が支持された状態で、支持部材３７のビス穴３７ａ１と枠体６ｂのビス穴４５（第１のビス穴）にビス５９ｂが挿入、締結される。これによりコネクタ３９が支持部材３７を介して装置本体３に固定される。なお、ビス穴３７ａ１、ビス穴４５に取り付けるビス５９ｂの数は、製品が求める強度に応じて適宜選択することができる。
【００３４】
コネクタ３９は、ケーブル３８を介して装置本体３の背面側にある制御基板である制御部７０に電気的に接続されている。これによりコネクタ３９のＵＳＢポート３９ａに接続された部材と制御部７０が電気的に接続される。
【００３５】
図５に示す様に、コネクタ３９が外側位置に固定された状態で、外装カバー４０ａ、４０ｂ、４０ｃが取り付けられると、コネクタ３９の大部分は外装カバー４０ｃに覆われるものの、ＵＳＢポート３９ａは外装カバー４０ｃから露出する。これは外装カバー４０ｃにおけるＵＳＢポート３９ａに対応する位置に開口部５６が形成されているためである。
【００３６】
ユーザは、外装カバー４０ｃから露出するＵＳＢポート３９ａにＵＳＢメモリ５８を挿入することで、ＵＳＢメモリ５８に保存された画像データを装置本体３に取り込むことができる。また画像形成装置Ａは、ユーザの指示に応じて、ＵＳＢメモリ５８から取り込まれた画像を形成することができる。
【００３７】
＜ＩＣカードリーダ＞
画像形成装置Ａには、ユーザのＩＣカード情報を電磁気的に読み取ることで個人認証を行うＩＣカードリーダ６１をオプションで取り付けることができる。ＩＣカードリーダ６１に読み取られたＩＣカード情報は、ＩＣカードリーダ制御部（不図示）によって処理されて制御部７０に入力される。
【００３８】
ＩＣカードリーダ６１は、ＵＳＢメモリ５８と異なり、頻繁に取り外されるものではない。従って、コネクタ３９のＵＳＢポート３９ａを、装置本体３の外装カバー４０ｃから露出させる必要はなく、むしろ外観上の観点やケーブル処理の観点から、装置本体３の外装カバー４０ｃの内側に配置するのが望ましい。そこでＩＣカードリーダ６１を取り付ける場合、ＵＳＢメモリ５８の接続に使用していたコネクタ３９を、ＵＳＢポート３９ａが外装カバー３８ｂの内側に位置する内側位置（第２位置）に固定して使用する。
【００３９】
図７、図８は、コネクタ３９を内側位置で固定した時のコネクタ３９の周囲の斜視図である。図７、図８に示す様に、コネクタ３９を内側位置で固定する場合、コネクタ３９は、支持部材３７を介して、固定台３１に取り付けられる。固定台３１は、略Ｌ字形状の金属板材であり、画像読取装置６の枠体６ｂと装置本体３の枠体であるステー３ａの天面に対してビス３３により固定されている。
【００４０】
また固定台３１は、枠体６ｂに対して垂直に曲げ起こされた曲げ部３１ａを有する。曲げ部３１ａには、支持部材３７のビス穴３７ａ２と対応する位置にビス穴４６（第２のビス穴）が形成されている。支持部材３７によってコネクタ３９が支持された状態で、支持部材３７のビス穴３７ａ２と曲げ部３１ａのビス穴４６にビス５９ｂが挿入、締結される。これによりコネクタ３９が支持部材３７を介して装置本体３に固定される。なお、ビス穴３７ａ２、ビス穴４６に取り付けるビス５９ｂの数は、製品が求める強度に応じて適宜選択することができる。
【００４１】
またコネクタ３９を内側位置が固定される場合、外装カバー４０ｃの開口部５６は不要となる。そこで外装カバー４０ｃに閉塞部材５７を取り付けて、外装カバー４０ｃの開口部５６を閉塞する。これにより開口部５６から装置本体３の内側に塵などが侵入することを抑制できる。
【００４２】
図９は、ＩＣカードリーダ６１を取り付けた時のコネクタ３９の周囲の斜視図である。図１０は、ＩＣカードリーダ６１の取り付け部分の分解斜視図である。図９、図１０に示す様に、ＩＣカードリーダ６１は、装置本体３に取り付けられた後、ＩＣカードリーダ６１本体にケーブル６２を介して接続されたＵＳＢプラグ６３が装置本体３のコネクタ３９に接続される。これによりＩＣカードリーダ６１と装置本体３の制御部７０との電気的接続が行われる。なお、画像形成装置Ａが使用される際は、図９に示す状態から、ＩＣカードリーダ６１を覆う後述するカバー部３６ｂを覆うように、外装カバー４０ａが取り付けられる。
【００４３】
このように本実施形態の構成によれば、ビス５９ｂを締結、取り外すだけで、コネクタ３９の位置を外側位置と内側位置とに簡単に変更することができる。従って、ＩＣカードリーダ６１を取り付ける際にコネクタ３９を複数設けず、外側位置に設けられたコネクタ５０を簡単に使い回すことができ、画像形成装置Ａの製造コストを抑えることができる。
【００４４】
またＩＣカードリーダ６１は、次のように取り付けられる。即ち、図１０に示す様に、まずステー３ａの天面には、載置台３４が複数のビス３５によって固定され、載置台３４の上にＩＣカードリーダ６１が載置される。その後、操作部１１が載置される載置部３６ａとＩＣカードリーダ６１を覆うカバー部３６ｂを備えるカバー部材３６が固定台３１に対してビス９９によって固定される。最後に、外装カバー４０ａ、４０ｂ、４０ｃによって、コネクタ３９や支持部材３７が覆われる。このようにＩＣカードリーダ６１が取り付けられる。
【００４５】
＜テンキー＞
画像形成装置Ａには、ユーザの要望に応じてテンキー１０１をオプションで取り付けることができる。テンキー１０１は、ＩＣカードリーダ６１が取り付けられる位置と同じ位置に取り付けられる。またテンキー１０１が取り付けられる時、コネクタ３９は上述した方法によって内側位置で固定される。以下、テンキー１０１について説明する。
【００４６】
図１１は、テンキー１０１の取り付け部分の分解斜視図である。図１２は、カバー部材３６とテンキー下カバー５３の分解斜視図である。図１３は、テンキー１０１と固定部材１０７の分解斜視図である。
【００４７】
図１３に示す様に、テンキー１０１は、数字や記号類を設定する数字キー１０２、画像形成装置Ａを稼動させるスタートキー１０３、停止させるストップキー１０４を有する。また入力情報をリセットするリセットキー１０５、その他の機能を設定するファンクションキー１０６を有する。これらの各種キーへの入力情報は、キー制御部（不図示）により処理され、装置本体３の制御部７０に入力される。
【００４８】
図１１に示す様に、テンキー１０１の取り付け時、まずは載置台３４に対して、二枚の金属板材が上下で溶接されて形成されたテンキー支持台５１がビス５２により固定される。テンキー支持台５１は、その天面から下方に曲げられた曲げ部５１ｄと、天面開口部５１ｇと、前面開口部５１ｆを有する。なお、載置台３４のビス穴３４ｂは、テンキー支持台５１が載置される載置面３４ａより一段下がった部分に形成されているため、長いサイズのビス５２を使用する必要がある。
【００４９】
次に、ＩＣカードリーダ６１の取り付け時と同様に、カバー部材３６が固定台３１に対してビス９９により固定される。次に、カバー部材３６とテンキー支持台５１に対してテンキー下カバー５３が固定され、テンキー下カバー５３にテンキー１０１が載置される。その後、後に詳しく説明するように、テンキー１０１が固定部材１０７を介して装置本体３に固定される。これによりテンキー１０１が装置本体３に固定される。最後に、外装カバー４０ｂ、４０ｃによって、コネクタ３９や支持部材３７が覆われる。このようにテンキー１０１が取り付けられる。
【００５０】
またテンキー１０１を装置本体３に固定する過程で、テンキー１０１本体にケーブル１１１を介して接続されたＵＳＢプラグ１１２は、装置本体３のコネクタ３９に接続される。ＵＳＢプラグ１１２は、テンキー下カバー５３の天面開口部５３ｃ、カバー部材３６の天面開口部３６ｅ、テンキー支持台５１の天面開口部５１ｇを通って、装置本体３のコネクタ３９に接続される。これによりテンキー１０１と装置本体３の制御部７０との電気的接続が行われる。
【００５１】
図１２に示す様に、テンキー下カバー５３をカバー部材３６とテンキー支持台５１に取り付ける時は、テンキー下カバー５３のビス穴５３ａ、カバー部材３６のネジ穴３６ｆ、テンキー支持台５１のビス穴５１ｃ（図１１）にビス５４を挿入して締結する。これによりテンキー下カバー５３が、カバー部材３６、テンキー支持台５１に固定される。
【００５２】
図１３に示す様に、テンキー１０１と固定部材１０７は、テンキー１０１の底面に形成されたビス穴（不図示）と、固定部材１０７の天面に形成されたビス穴１０７ａに、ビス１０８が挿入されて締結されることで固定される。また固定部材１０７とテンキー下カバー５３の固定時、まず固定部材１０７の天面から下方に曲げられた曲げ部１０７ｃが、テンキー下カバー５３の開口部５３ｂ、カバー部材３６の天面開口部３６ｇを通り、テンキー支持台５１の曲げ部５１ｄに接触する。次に、固定部材１０７の曲げ部１０７ｃのビス穴５１ｅとテンキー支持台５１の曲げ部５１ｄのビス穴１０７ｄの位置が合わせられ、両者がビス１０９よって固定される。この時、ビス１０９は、カバー部材３６の前面開口部３６ｄ、テンキー支持台５１の前面開口部５１ｆを通る。このようにテンキー１０１が固定部材１０７を介して装置本体３に取り付けられる。
【００５３】
（第２実施形態）
次に、本発明の第２実施形態に係る画像形成装置の構成について説明する。上記第１実施形態と説明の重複する部分については、同一の符号を付して説明を省略する。
【００５４】
図１４、図１５は、本実施形態に係るコネクタ３９の周囲の斜視図である。ここで図１４はコネクタ３９が外側位置に固定されている状態を示し、図１５はコネクタ３９が内側位置に固定されている状態を示す。
【００５５】
図１４、図１５に示す様に、本実施形態に係る支持部材３７は、第１実施形態に係る支持部材３７のコの字部３７ｂに相当する部分のみから構成されている。支持部材３７は、コネクタ３９を挟み込むと共に装置本体３にビス固定されることでコネクタ３９を支持する。また支持部材３７には、ビス穴３７ｄが形成されている。
【００５６】
コネクタ３９が外側位置に固定される際、コネクタ３９は支持部材３７、固定部材４８を介して、装置本体３に固定される。固定部材４８は、支持部材３７のビス穴３７ｄと対応する位置に複数のビス穴４８ａ（第１のビス穴）を有する。また固定部材４８は、画像読取装置６の枠体６ｂに対してビス４９により固定されている。
【００５７】
支持部材３７によってコネクタ３９が支持された状態で、支持部材３７のビス穴３７ｄと固定部材４８のビス穴４８ａにビス５９ｂが挿入、締結される。これによりコネクタ３９が支持部材３７、固定部材４８を介して装置本体３に固定される。なお、ビス穴３７ｄ、ビス穴４８ａに取り付けるビス５９ｂの数は、製品が求める強度に応じて適宜選択することができる。
【００５８】
また固定台３１には、支持部材３７のビス穴３７ｄと対応する位置に、複数のビス穴４３（第２のビス穴）が形成されている。なお、固定台３１の２つのビス穴４３の間隔Ｄ１と、固定部材４８の２つのビス穴４８ａの間隔Ｄ２は同じである。コネクタ３９が内側位置に固定される際、支持部材３７によってコネクタ３９が支持された状態で、支持部材３７のビス穴３７ｄと固定台３１のビス穴４３にビス５９ｂが挿入、締結される。これによりコネクタ３９が支持部材３７、固定部材４８を介して装置本体３に固定される。なお、ビス穴３７ｄ、ビス穴４３に取り付けるビス５９ｂの数は、製品が求める強度に応じて適宜選択することができる。
【００５９】
このように本実施形態の構成によれば、第１実施形態と同様に、ビス５９ｂを締結、取り外すだけで、コネクタ３９の位置を外側位置と内側位置に簡単に変更することができる。従って、ＩＣカードリーダ６１を取り付ける際にコネクタ３９を複数設けず、外側位置に設けられたコネクタ５０を簡単に使い回すことができ、画像形成装置Ａの製造コストを抑えることができる。
【００６０】
（第３実施形態）
次に、本発明の第３実施形態に係る画像形成装置の構成について説明する。上記第１実施形態、第２実施形態と説明の重複する部分については、同一の符号を付して説明を省略する。
【００６１】
図１６は、本実施形態に係る画像形成装置Ａの操作部１１の周囲の斜視図である。図１６に示す様に、本実施形態では、コネクタ３９を内側位置に固定し、ＩＣカードリーダ６１を外装カバー４０ａの外側に露出させて設ける。なお、ＩＣカードリーダ６１は、カバー部３６ｂに覆われた状態で配置される。
【００６２】
この場合、ＩＣカードリーダ６１とコネクタ３９を電気的に接続するケーブル６２を外装カバー４０ｃの開口部５６を通過させ、ケーブル６２先端のＵＳＢプラグ６３を内側位置に位置するコネクタ３９のＵＳＢポート３９ａに接続する。このように本実施形態の構成によれば、コネクタ３９を装置本体３の外装カバー４０から露出しない内側位置に配置する場合でも、ＩＣカードリーダ６１を装置本体３の外側に自由に配置して使用することができる。
【００６３】
なお、第１〜３実施形態では、ＵＳＢメモリ５８を接続可能なＵＳＢポート３９ａを有するコネクタ３９を例示して説明したものの、本発明はこれに限られるものではない。即ち、コネクタ３９をＵＳＢメモリ５８以外の記憶装置等を接続可能な接続部を有するものとし、その接続部に接続可能なＩＣカードリーダ６１やテンキー１０１を装置本体３に取り付ける構成としても上記同様の効果を得ることができる。また装置本体３にＩＣカードリーダ６１、テンキー１０１以外の他の電子機器を取り付ける構成としても上記同様の効果を得ることができる。
【符号の説明】
【００６４】
３…装置本体
３７…支持部材
３７ａ１…支持部材のビス穴
３７ａ２…支持部材のビス穴
３７ｄ…支持部材のビス穴
３９…コネクタ
３９ａ…ＵＳＢポート（接続部）
４０ａ〜４０ｃ…外装カバー（外装）
４３…ビス穴（第２のビス穴）
４５…ビス穴（第１のビス穴）
４６…ビス穴（第２のビス穴）
４８ａ…ビス穴（第１のビス穴）
５６…開口部
５７…閉塞部材
５８…ＵＳＢメモリ
６１…ＩＣカードリーダ
６３…ＵＳＢプラグ
１０１…テンキー
１１２…ＵＳＢプラグ
Ａ…画像形成装置
【図１】
2020175532.tif 000003
【図２】
2020175532.tif 000004
【図３】
2020175532.tif 000005
【図４】
2020175532.tif 000006
【図５】
2020175532.tif 000007
【図６】
2020175532.tif 000008
【図７】
2020175532.tif 000009
【図８】
2020175532.tif 000010
【図９】
2020175532.tif 000011
【図１０】
2020175532.tif 000012
【図１１】
2020175532.tif 000013
【図１２】
2020175532.tif 000014
【図１３】
2020175532.tif 000015
【図１４】
2020175532.tif 000016
【図１５】
2020175532.tif 000017
【図１６】
2020175532.tif 000018